(57)【要約】【課題】データオーバーシグナリングとページングのタンデム伝送を提供する。【解決手段】無線通信システムにおけるデータ配信潜時を改善するためのシステムと方法が開示される。この方法とシステムは、アクセス端末を包含すると推定されるページング区域の第一の部分内のアクセス端末へデータオーバーシグナリング（ＤＯＳ）メッセージを送信することと、ページング区域の他の部分内のアクセス端末をページングすることとを含み得る。【選択図】
2010514270.tif 000002
【特許請求の範囲】
【請求項１】
無線通信システムにおいて潜時を低減するための方法であり、
アクセス端末を包含すると推定されるページング区域の第一の部分内の前記アクセス端末へデータオーバーシグナリング（ＤＯＳ）メッセージを送信することと、
前記ページング区域の他の部分内のアクセス端末をページングすることとを有する方法。
【請求項２】
前記第一の部分は、アクセス端末からの最後の通信によって決定される請求項１の方法。
【請求項３】
前記ＤＯＳメッセージおよびページングは、アプリケーションサーバから発信されるメッセージに応じて生成される請求項１の方法。
【請求項４】
前記アプリケーションサーバはグループ通信サーバーであり、前記発信メッセージはグループ呼出を確立するために使用される請求項３の方法。
【請求項５】
前記アプリケーションサーバから発信される前記メッセージは、前記ＤＯＳメッセージおよびページングの両方を前記アクセス端末へ発信するように前記無線通信システムに命令する情報を有する請求項３の方法。
【請求項６】
前記アプリケーションサーバから発信される前記メッセージは、インターネットプロトコル（ＩＰ）共通フォーマットで発信される請求項５の方法。
【請求項７】
前記情報は、タイプオブサービス（ＴＯＳ）フィールドに含まれる請求項５の方法。
【請求項８】
前記アクセス端末へ発信された前記ＤＯＳメッセージおよびページの少なくとも一つに対する応答を受信することをさらに有する請求項１の方法。
【請求項９】
前記ＤＯＳメッセージおよびページングを発信する要求を生成したソースに前記応答を発信することをさらに有する請求項８の方法。
【請求項１０】
所定時間が経過した後に前記アクセス端末へ発信された前記ＤＯＳメッセージおよびページングを再送することをさらに有する請求項１の方法。
【請求項１１】
無線通信システムにおいて潜時を低減するための方法であり、
前記無線通信システムを経由する配信のためのメッセージを生成することと、
前記メッセージを前記無線通信システムへ発信することとを有し、前記メッセージは、データオーバーシグナリング（ＤＯＳ）およびページをアクセス端末へ発信する要求を有する方法。
【請求項１２】
前記アクセス端末を包含すると推定されるページング区域の第一の部分内の前記アクセス端末へ前記ＤＯＳメッセージを送信することと、
前記ページング区域の他の部分内の前記アクセス端末をページングすることとをさらに有する請求項１１の方法。
【請求項１３】
前記アクセス端末を包含すると推定されるページング区域の第一の部分内の前記アクセス端末へ前記ＤＯＳメッセージを送信することと、
ＤＯＳフラッドオプションの作動の直後に、前記ページング区域の他の部分へ前記ＤＯＳメッセージを送信することと、
前記ＤＯＳメッセージを受信していない前記ページング区域の部分内の前記アクセス端末をページングすることとをさらに有する請求項１１の方法。
【請求項１４】
前記フラッドオプションは、フラッド基準決定に基づいて作動される請求項１３の方法。
【請求項１５】
前記フラッド基準決定は、一日の指定時間、前記無線システムのローディング、ページング区域の少なくとも一つを有する請求項１４の方法。
【請求項１６】
前記ＤＯＳメッセージは、前記ページング区域のすべての部分よりも少なく発信される請求項１３の方法。
【請求項１７】
前記第一の部分は、前記アクセス端末からの最後の通信によって決定される請求項１３の方法。
【請求項１８】
前記ＤＯＳメッセージおよびページングは、アプリケーションサーバから発信されるメッセージに応じて生成される請求項１３の方法。
【請求項１９】
前記アプリケーションサーバはグループ通信サーバーであり、前記発信メッセージはグループ呼出を確立するために使用される請求項１８の方法。
【請求項２０】
前記アプリケーションサーバから発信される前記メッセージは、インターネットプロトコル（ＩＰ）共通フォーマットで発信され、前記情報は、タイプオブサービス（ＴＯＳ）フィールドに含まれる請求項１８の方法。
【請求項２１】
無線通信システムを経由する配信のためのメッセージを生成するように構成された論理と、
前記メッセージを前記無線通信システムへ発信するように構成された論理とを備え、前記メッセージは、データオーバーシグナリング（ＤＯＳ）メッセージおよびページをアクセス端末へ発信する要求を有する装置。
【請求項２２】
前記アクセス端末を包含すると推定されるページング区域の第一の部分内の前記アクセス端末へ前記ＤＯＳメッセージを送信するように構成された論理と、
前記ページング区域の他の部分内の前記アクセス端末をページングするように構成された論理とをさらに備えている請求項２１の装置。
【請求項２３】
前記アクセス端末を包含すると推定されるページング区域の第一の部分内の前記アクセス端末へ前記ＤＯＳメッセージを送信するように構成された論理と、
ＤＯＳフラッドオプションの作動の直後に、前記ページング区域の他の部分へ前記ＤＯＳメッセージを送信するように構成された論理と、
前記ＤＯＳメッセージを受信していないページング区域の部分内の前記アクセス端末をページングするように構成された論理とをさらに備えている請求項２１の装置。
【請求項２４】
前記フラッドオプションは、フラッド基準決定に基づいて作動される請求項２３の装置。
【請求項２５】
前記フラッド基準決定は、一日の指定時間、前記無線システムのローディング、ページング区域の少なくとも一つを有する請求項２４の装置。
【請求項２６】
前記ＤＯＳメッセージは、前記ページング区域のすべての部分よりも少なく発信される請求項２３の装置。
【請求項２７】
前記第一の部分は、前記アクセス端末からの最後の通信によって決定される請求項２３の装置。
【請求項２８】
前記ＤＯＳメッセージおよびページは、アプリケーションサーバから発信されるメッセージに応じて生成される請求項２３の装置。
【請求項２９】
前記アプリケーションサーバはグループ通信サーバーであり、前記発信メッセージはグループ呼出を確立するために使用される請求項２８の装置。
【請求項３０】
前記アプリケーションサーバから発信される前記メッセージは、インターネットプロトコル（ＩＰ）共通フォーマットで発信され、前記情報は、タイプオブサービス（ＴＯＳ）フィールドに含まれる請求項２８の装置。
【請求項３１】
無線通信システムを経由する配信のためのメッセージを生成するための手段と、
前記メッセージを前記無線通信システムへ発信するための手段とを備え、前記メッセージは、データオーバーシグナリング（ＤＯＳ）メッセージおよびページをアクセス端末へ発信する要求を有するシステム。
【請求項３２】
前記アクセス端末を包含すると推定されるページング区域の第一の部分内の前記アクセス端末へ前記ＤＯＳメッセージを送信するための手段と、
前記ページング区域の他の部分内の前記アクセス端末をページングするための手段とをさらに備えている請求項３１のシステム。
【請求項３３】
前記アクセス端末を包含すると推定されるページング区域の第一の部分内の前記アクセス端末へ前記ＤＯＳメッセージを送信するための手段と、
ＤＯＳフラッドオプションの作動の直後に、前記ページング区域の他の部分へ前記ＤＯＳメッセージを送信するための手段と、
前記ＤＯＳメッセージを受信していない前記ページング区域の部分内の前記アクセス端末をページングするための手段とをさらに備えている請求項３１のシステム。
【請求項３４】
前記フラッドオプションは、フラッド基準決定に基づいて作動される請求項３３のシステム。
【請求項３５】
前記ＤＯＳメッセージは、前記ページング区域のすべての部分よりも少なく発信される請求項３３のシステム。
【請求項３６】
前記第一の部分は、アクセス端末からの最後の通信によって決定される請求項３３のシステム。
【請求項３７】
前記ＤＯＳメッセージよびページングは、アプリケーションサーバから発信されるメッセージに応じて生成され、前記アプリケーションサーバから発信される前記メッセージは、インターネットプロトコル（ＩＰ）共通フォーマットで発信され、前記情報は、タイプオブサービス（ＴＯＳ）フィールドに含まれる請求項３３のシステム。
【請求項３８】
アクセス端末を包含すると推定されるページング区域の第一の部分内の前記アクセス端末へデータオーバーシグナリング（ＤＯＳ）メッセージを送信することと、
前記ページング区域の他の部分内の前記アクセス端末をページングすることとを有する、無線通信システムにおいて潜時を低減するための方法を具体化するコンピュータ読取可能媒体。
【請求項３９】
前記第一の部分は、前記アクセス端末からの最後の通信によって決定される請求項３８のコンピュータ読取可能媒体。
【請求項４０】
前記ＤＯＳメッセージおよびページングは、アプリケーションサーバから発信されるメッセージに応じて生成され、前記アプリケーションサーバから発信される前記メッセージは、前記ＤＯＳメッセージおよびページングの両方を前記アクセス端末へ発信するように前記無線通信システムに命令する情報を有する請求項３８のコンピュータ読取可能媒体。
【発明の詳細な説明】
【技術分野】
【０００１】
［発明の背景］
（１．分野）
本発明は一般に通信システムに関する。特に、この発明は、データ配信潜時を改善する無線通信システムにおけるページングおよびシグナリングに関する。
【背景技術】
【０００２】
（２．背景）
無線通信システムは、第一世代アナログ無線電話サービス（１Ｇ）と（暫時の２．５Ｇと２．７５Ｇネットワークを含む）第二世代（２Ｇ）ディジタル無線電話サービスと第三世代（３Ｇ）高速データ／インターネット利用可能無線サービスとを含め、さまざまな世代を通じて発展してきた。現在、携帯およびパーソナル通信サービス（ＰＣＳ）システムとを含め、様々なタイプの無線通信システムが使用されている。既知の携帯システムの例としては、携帯アナログ先進移動電話サービス（ＡＭＰＳ）と、符号分割多元接続（ＣＤＭＡ）、時分割多元接続（ＴＤＭＡ）、ＴＤＭＡの移動体アクセス用広域システム（ＧＳＭ）バリエーション、ＴＤＭＡと符号分割多元接続技術の両方を使用しているより新しいハイブリッドディジタル通信システムに基づいたディジタル携帯システムとがある。
【０００３】
符号分割多元接続移動体通信を提供する方法は、米国電気通信工業会／米国電子機械工業会によって、ここでＩＳ−９５と呼ばれる「デュアルモード広帯域スペクトル拡散携帯システムのための移動局基地局コンパティビリティ基準」と題するＴＩＡ／ＥＩＡ／ＩＳ−９５−Ａにおいてアメリカで標準化された。複合ＡＭＰＳ＆ＣＤＭＡシステムはＴＩＡ／ＥＩＡ規格ＩＳ−９８において説明されている。他の通信システムは、ＩＭＴ−２０００／ＵＭ、すなわち国際移動体通信システム２０００／ユニバーサル年移動体通信システム、広帯域ＣＤＭＡ（ＷＣＤＭＡ）、ＣＤＭＡ２０００（たとえばＣＤＭＡ２０００ １ｘＲＴＴ「１ｘ」および１ｘＥＶ−ＤＯ規格「１ｘＥＶ」など）またはＴＤ−ＳＣＤＭＡと呼ばれるものをカバーする規格に説明されている。
【０００４】
無線通信システムでは、移動局またはアクセス端末は、基地局の近隣または周囲の特定の地理的領域内の通信リンクまたはサービスを支持する固定位置基地局から信号を受信する。これらの基地局の一つ以上がセルと呼ばれるグループに組織され得る。通用範囲を提供することを援助するために、各セルは多数のセクターにしばしば細分され、そのおのおのはより小さいサービスエリアまたは地理的領域に対応している。互いに隣接して配置されたアレイまたは一連の基地局は、より大きな領域に、多くのシステムユーザーをサービスすることの可能な通信システムを形成する。一般に、ページング区域は、大きな地理的領域一帯の一群のセルから形成される。
【０００５】
一般に、各移動局は、システム／オーバヘッドメッセージ／ページを送信するために使用される制御チャネルを監視し、トラヒックチャネルは、移動局との本質的な通信（たとえば音声とデータ）に一般に使用される。たとえば、この技術分野で知られているように、制御チャネルは、トラヒックチャネル、制御電力レベルおよび同様のものを確立するために使用され得る。しかしながら、トラヒックチャネルが確立され得る前に、一般にアクセス端末は、アクセス端末と提携基地局との位置が突き止められ得るように最初にページングされる。
【０００６】
しかしながら、アクセス端末をページングすることは、潜時敏感(latency sensitive)データに対してはまだ著しい遅延につながり得る。たとえば、アクセス端末がセル／ページング区域内の基地局から基地局へ移動するときは、アクセス端末はそれらの位置を更新する必要がない。したがって、無線ネットワークは、潜時敏感データがアクセス端末へ発信される必要があるとき、アクセス端末がどこいるかを一般に知らない。従来のページング技法を使用すると、アクセス端末がページングされ、応答し、トラヒックチャネルが確立されるまで、データ配信が遅れるであろう。この遅延は、いくらかの潜時敏感アプリケーションにとっては容認できないかもしれない。
【０００７】
ページングによる潜在的遅延を処理するため、別の従来の方法は、アクセス端末によって使用された最後の基地局へデータオーバーシグナリング（ＤＯＳ）メッセージを発信する。この方法は、データが共通チャネル上に直接発信されるときに有効であり得るが、集中的な帯域幅でもある。さらに、この方法を使用すると、メッセージ伝送が失敗であるならば、データが再送される前に、システムはアプリケーション層にタイムアウトを待つ。
【０００８】
従来の方法およびシステムは、移動体端末／アクセス端末へ潜時敏感データを発信する際に遅延を伴う。したがって、無線通信システムにおいてアクセス端末へ潜時敏感データを発信するための改善された方法およびシステムを提供することは有益であろう。
【発明の概要】
【０００９】
［代表的な実施形態の概要］
本発明の代表的な実施形態は、グループ通信システムにおいて潜時を低減しセッション制御を改善するためのシステムおよび方法に向けられている。
【００１０】
したがって、この発明の少なくとも一つの実施形態は、無線通信システムにおいて潜時を低減するための方法を含むことができ、この方法は、アクセス端末を包含すると推定されるページング区域の第一の部分内のアクセス端末へデータオーバーシグナリング（ＤＯＳ）メッセージを送信することと、ページング区域の他の部分内のアクセス端末をページングすることとを有する。
【００１１】
この発明の他の実施形態は、無線通信システムにおいて潜時を低減するための方法を含むことができ、この方法は、無線通信システムを経由する配信のためのメッセージを生成することと、メッセージを無線通信システムへ発信することとを有し、メッセージは、データオーバーシグナリング（ＤＯＳ）およびページをアクセス端末へ発信する要求を有する。
【００１２】
この発明の他の実施形態は、無線通信システムを経由する配信のためのメッセージを生成するように構成された論理と、メッセージを無線通信システムへ発信するように構成された論理とを備え、メッセージは、データオーバーシグナリング（ＤＯＳ）メッセージおよびページをアクセス端末へ発信する要求を有する装置を有し得る。
【００１３】
この発明の他の実施形態は、無線通信システムを経由する配信のためのメッセージを生成するための手段と、メッセージを無線通信システムへ発信するための手段とを備え、メッセージは、データオーバーシグナリング（ＤＯＳ）メッセージおよびページをアクセス端末へ発信する要求を有するシステムを有し得る。
【００１４】
この発明の他の実施形態は、アクセス端末を包含すると推定されるページング区域の第一の部分内のアクセス端末へデータオーバーシグナリング（ＤＯＳ）メッセージを送信することと、ページング区域の他の部分内のアクセス端末をページングすることとを有する、無線通信システムにおいて潜時を低減するための方法を具体化するコンピュータ読取可能媒体を有し得る。
【図面の簡単な説明】
【００１５】
［図面の簡単な説明]
この発明の限定ではなく例証のためだけに紹介される添付図面に関連して考慮される続く詳細な説明の参照によってより良く理解されてくるときに、この発明の実施形態とそれに付随する多くの利点のより完全な認識が容易に得られるであろう。
【図１】図１は、この発明の少なくとも一つの実施形態にしたがうアクセス端末とアクセスネットワークを支持する無線ネットワークアーキテクチャのブロック図である。
【図２】図２は、この発明の少なくとも一つの実施形態にしたがうアクセス端末の図である。
【図３】図３は、この発明の少なくとも一つの実施形態にしたがうページング区域の一部とそれらの要素の図である。
【図４】図４は、この発明の少なくとも一つの実施形態にしたがう方法を示す流れ図である。
【図５】図５は、この発明の少なくとも一つの実施形態にしたがうアクセス端末とアクセスネットワークを支持する無線ネットワークアーキテクチャの図である。
【図６】図６は、この発明の少なくとも一つの実施形態にしたがうグループ通信ネットワークの図である。
【発明を実施するための形態】
【００１６】
［好適な実施形態の詳細な説明］
この発明の相は、この発明の特定の実施形態に向けられた続く説明および関連図面に開示される。この発明の要旨から逸脱しない範囲において代替実施形態が考案されてもよい。付加的に、この発明の周知の要素は、この発明の適切な詳細を不明瞭にしないように詳細に説明されないか省略されるだろう。
【００１７】
単語「代表的」は、「実例、例または例証」であることを意味するためにここに使用される。「代表的」としてここに説明されるあらゆる実施形態は必ずしも、他の実施形態を超えて好適または有利であると解釈されるべきではない。同様に、用語「この発明の実施形態」は、この発明のすべての実施形態が、論じられた特徴、利点または動作のモードを含むことを必要としない。
【００１８】
さらに、多くの実施形態は、たとえばコンピューティング装置の素子によって実施される動作のシーケンスの見地から説明される。ここに説明されるさまざまな動作は、特定回路（たとえば特定用途向け集積回路（ＡＳＩＣ））によって、一つ以上のプロセッサーによって実行されるプログラム命令によって、または両者の組み合わせによって実施され得ることが認められるであろう。付加的に、ここに説明される動作のこれらのシーケンスは、関連づけられたプロセッサーにここに説明される機能を実施させるコンピュータ命令の対応セットをその中に格納しているコンピュータ読取可能記憶媒体のあらゆる形態内に完全に具体化されると認められ得る。したがって、この発明のさまざまな相は、多くの異なる形式で具体化されてよく、そのすべては請求主題の要旨の範囲内に意図される。さらに、ここに説明される実施形態のおのおのについて、あらゆるそのような実施形態の対応形式は、たとえば、説明される動作を実施する「ように構成された論理」としてここに説明され得る。
【００１９】
ハイデータレート（ＨＤＲ）加入者局は、アクセス端末（ＡＴ）とここに呼ばれ、移動体であり得、モデムプールトランシーバ（ＭＰＴ）基地局トランシーバ（ＢＴＳ）、基地局（ＢＳ）またはより一般的にアクセスポイントとここに呼ばれる一つ以上のＨＤＲ基地局と通信し得る。アクセス端末は、一つ以上のモデムプールトランシーバを介して、モデムプールコントローラ（ＭＰＣ）、基地局コントローラ（ＢＳＣ）および／または移動通信交換局（ＭＳＣ）と呼ばれるＨＤＲ基地局コントローラにデータパケットを送受信する。これらの要素は、アクセスネットワークまたは無線アクセスネットワーク（ＲＡＮ）と呼ばれるネットワークの一部である。アクセスネットワークは、多元接続端末間でデータパケットを移送する。アクセスネットワークは、企業イントラネットまたはインターネットなどのアクセスネットワークの外部の付加ネットワークにさらに接続され得、各アクセス端末とそのような外部ネットワークとの間でデータパケットを移送し得る。一つ以上のアクセスポイントとのアクティブトラヒックチャネル接続を確立したアクセス端末はアクティブアクセス端末と呼ばれ、トラヒック状態にあると言われる。一つ以上のアクセスポイントとのアクティブトラヒックチャネル接続を確立するプロセス中にあるアクセス端末は接続セットアップ状態にあると言われる。
【００２０】
アクセス端末は、無線チャネルを介しておよび／またはたとえば光ファイバーまたは同軸ケーブルを使用している有線チャネルを介して通信するどのようなデータ装置であり得る。アクセス端末は、ＰＣカード、コンパクトフラッシュ（登録商標）、外付または内蔵モデム、または無線またはワイヤ線電話を含むこれらに限定されない多くのタイプのどのような装置であり得る。それを介してアクセス端末がアクセスポイントへ信号を発信する通信リンクは、逆方向リンクまたはトラヒックチャネルと呼ばれる。それを介してアクセスポイントがアクセス端末へ信号を発信する通信リンクは、順方向リンクまたはトラヒックチャネルと呼ばれる。ここに使用されるように、用語トラヒックチャネルは、一般に順方向または逆方向トラヒックチャネルのいずれかを指し得る。
【００２１】
付加的に、この発明の代表的な実施形態は、無線システムおよびＣＤＭＡ １ｘと１ｘＥＶシステムなどの独自技術の見地から説明されるが、この発明が例証のシステムに限定されないことを当業者は認めるであろう。たとえば、この発明の実施形態は、ページングおよびデータオーバーシグナリング（ＤＯＳ）技術を使用され得るあらゆるシステムを含み得る。
【００２２】
図１は、この発明の少なくとも一つの実施形態にしたがう無線システム１００の一つの代表的な実施形態のブロック図を示す。システム１００は、パケット交換データネットワーク（たとえばイントラネット、インターネットおよび／またはキャリアネットワーク１２６）とアクセス端末１０２，１０８，１１０，１１２との間のデータ接続性を提供するネットワーク装置にアクセス端末１０２を接続し得るアクセスネットワークまたは無線アクセスネットワーク（ＲＡＮ）１２０とエアインターフェース１０４とを通して通信する携帯電話１０２などのアクセス端末を包含し得る。ここに示されるように、アクセス端末は、携帯電話１０２、携帯情報端末１０８、ページャー１１０（２ウェイテキストページャーとしてここに示される）または無線通信ポータルを有する個々のコンピュータプラットフォーム１１２であり得る。この発明の実施形態は、限定することなく、無線モデム、ＰＣＭＣＩＡカード、パーソナルコンピュータ、電話またはそれらのあらゆる組み合わせまたは半組み合わせを含む、無線通信ポータルを含むか無線通信能力を有するアクセス端末のあらゆる形式で実現され得る。さらに、ここに使用されるように、用語「アクセス端末」、「無線装置」、「クライアント装置」、「移動体端末」およびそれらのバリエーションは交換可能に使用され得る。さらに、ここに使用されるように、用語「アクセスポイント」、「モデムプールトランシーバ」（ＭＰＴ）、「無線基地局」（ＢＴＳ）、「基地局（ＢＳ）」およびそれらの同様なバリエーションは交換可能に使用され得る。
【００２３】
図１に戻って参照すると、無線ネットワーク１００のコンポーネントおよびこの発明の代表的な実施形態の要素の相互関係は例証の構成に限定されない。システム１００は単に代表的であり、無線クライアントコンピューティング装置１０２，１０８，１１０などの遠隔アクセス端末がエア相互間で、および／または、キャリアネットワーク、コアネットワーク、インターネットおよび／または他のリモートサーバーを限定なく含むエアインターフェース１０４およびＲＡＮ１２０を経由して接続された要素間で、オーバー・ザ・エア(over-the-air)で通信することを可能にするあらゆるシステムを含み得る。
【００２４】
ＲＡＮ１２０は、ＭＰＣ／ＭＳＣ１２２へ発信される（データパケットとして一般に発信される）メッセージを制御する。キャリアネットワーク１２６は、ネットワーク、インターネットおよび／または公衆交換電話ネットワーク（ＰＳＴＮ）によってＭＰＣ／ＭＳＣ１２２と通信し得る。あるいは、ＭＰＣ／ＭＳＣ１２２は、インターネットまたは外部ネットワークに直接接続し得る。一般に、キャリアネットワーク１２６とＭＰＣ／ＭＳＣ１２２との間のネットワークまたはインターネット接続はデータを転送し、ＰＳＴＮは音声情報を転送する。ＭＰＣ／ＭＳＣ１２２は、多数の基地局（ＢＳ）またはモデムプールトランシーバ（ＭＰＴ）１２４に接続され得る。キャリアネットワークと同様な手法で、ＭＰＣ／ＭＳＣ１２２は、データ転送および／または音声通信のためのネットワーク、インターネットおよび／またはＰＳＴＮによってＭＰＴ／ＢＳ１２４に一般に接続される。ＭＰＴ／ＢＳ１２４は、携帯電話１０２などのアクセス端末へデータメッセージを無線で放送し得る。この技術分野で知られているように、ＭＰＴ／ＢＳ１２４、ＭＰＣ／ＭＳＣ１２２および他のコンポーネントは、ＲＡＮ１２０を形成し得る。
【００２５】
図２を参照すると、たとえば携帯電話などのアクセス端末２００（ここでは無線装置）は、キャリアネットワーク１２６、インターネットおよび／または他のリモートサーバーおよびネットワークから最後に到来し得るＲＡＮ１２０から送信されるソフトウェアアプリケーション、データおよび／またはコマンドを受け取り実行し得るプラットフォーム２０２を有する。プラットフォーム２０２は、特定用途向け集積回路（「ＡＳＩＣ」２０８）、または他のプロセッサー、マイクロプロセッサー、論理回路または他のデータ処理装置に操作可能に連結されたトランシーバを含み得る。ＡＳＩＣ２０８または他のプロセッサーは、無線装置のメモリ２１２内のあらゆる常駐プログラムと接続し得るアプリケーションプログラミングインターフェース（「ＡＰＩ」）２１０層を実行し得る。メモリ２１２は、リードオンリーまたはランダムアクセスメモリ（ＲＡＭとＲＯＭ）、ＥＥＰＲＯＭ、フラッシュカードまたはコンピュータプラットフォームに共通の任意のメモリで構成し得る。プラットフォーム２０２はまた、メモリ２１２内で能動的に使用されないアプリケーション／データを保持し得るローカルデータベース２１４を含み得る。ローカルデータベース２１４は一般的にフラッシュメモリー（登録商標）セルであるが、磁気媒体、ＥＥＰＲＯＭ、光学的媒体、ソフトまたはハードディスクおよび同様のものなどのこの技術分野で知られているようなあらゆる補助記憶装置であり得る。この技術分野で知られているように、内部プラットフォーム２０２コンポーネントはまた、とりわけ、アンテナ２２２、ディスプレイ２２４、プッシュ・トゥ・トークボタン２２８およびキーパッド２２６などの外部装置に操作可能に連結され得る。
【００２６】
したがって、この発明の相は、ここに説明される機能を実施する能力を有するアクセス端末を含み得る。当業者に認められるように、さまざまな論理素子は、ここに示される機能性を達成する個別素子、プロセッサー上で実行されるソフトウェアモジュールまたはソフトウェアモジュールとハードウェアとのあらゆる組み合わせで具体化され得る。たとえば、ＡＳＩＣ２０８、メモリ２１２、ＡＰＩ２１０およびローカルデータベース２１４はすべて、ここに示されるさまざまな機能をロードし格納し実行するために共働的に使用され得、したがって、これらの機能を実施する論理はさまざまな素子上に分配され得る。あるいは、機能性は一つの個別コンポーネント内に組み込まれ得るであろう。したがって、図２のアクセス端末の特徴は単なる例証と見なされるべきであり、この発明は例証の特徴または配置に限定されない。
【００２７】
ここに使用されるように、「アクセス端末」は、たとえば、常駐設計論理を実行する一つ以上の処理回路を有し、そのようなコンピューティング装置は、たとえば、ここに説明される動作を少なくとも実施するように構成されたプロセッサーおよび論理を包含しているマイクロプロセッサー、ディジタルシグナルプロセッサー（ＤＳＰ）、マイクロコントローラ、またはハードウェア、ソフトウェアおよび／またはファームウェアのあらゆる好適な組み合わせを含む。本発明の実施形態にしたがって使用され得るアクセス端末または無線装置のいくつかの例は、携帯電話または他の無線通信ユニット、携帯情報端末（ＰＤＡ）、ページング装置、携帯型ナビゲーション装置、携帯ゲーム機、音楽またはビデオコンテンツダウンロードユニット、および他の同種の無線通信装置を含む。
【００２８】
アクセス端末１０２とＲＡＮ１２０との間の無線通信は、符号分割多元接続（ＣＤＭＡ）、時分割多元接続（ＴＤＭＡ）、周波数分割多元接続（ＦＤＭＡ）、グローバル移動体通信システム（ＧＳＭ）、または無線通信ネットワークまたはデータ通信ネットワークで使用され得る他のプロトコルなどの異なる技術に基づき得る
データ通信は一般に、クライアント装置１０２とＭＰＴ／ＢＳ１２４とＭＰＣ／ＭＳＣ１２２との間にある。ＭＰＣ／ＭＳＣ１２２は、キャリアネットワーク１２６、ＰＳＴＮ、インターネット、仮想プライベートネットワーク、および同様のものなどの多数のデータネットワークに接続されることにより、より広い通信ネットワークへのアクセス端末１０２アクセスを許可し得る。先に論じられ、この技術分野で知られているように、音声送信および／またはデータはＲＡＮ１２０からアクセス端末に送信され得る。
【００２９】
背景技術で論じられたように、ページングは、その端末へ向けられた通信が利用可能なアクセス端末（たとえば無線装置）に通知するために使用され得る。一般に、アクセス端末は、不トラヒックチャネル（たとえば制御チャネル）を監視してアクセス端末に向けられたページングをチェックする。しかしながら、ページングおよびトラヒックチャネルセットアッププロセスは、潜時敏感アプリケーションに容認できない遅延に通じることがある。さらに、背景技術で説明されたような方式（たとえばシグナリングチャネル上へのデータ）を使用することは、アクセス端末が直前の基地局の通用範囲を去って（またアイドルハンドオフとして知られている）新しい基地局からのサービスを受信し始める場合に裏目に出るであろう。アクセス端末は通常、ページング区域／境界が横切られるときにだけハンドオフのＲＡＮ（たとえばＢＳＣ）に通知するルート更新メッセージを発信することを必要とする。データオーバーシグナリングは（帯域幅の見地から）多くの費用を要し、メッセージは通常はページング区域全体にあふれ(flooded)ないので、アクセス端末はアイドルハンドオフの場合、メッセージを受信しないかもしれない。そのような場合、システムはアプリケーション層を待ってタイムアウトし、それからそのデータを再送し、さらに遅延を引き起こす
したがって、この発明の実施形態は、ＲＡＮ（たとえばＢＳＣまたは他のコントローラ）推定がアクセス端末を奉仕しているＢＴＳにデータオーバーシグナリング（ＤＯＳ）メッセージを、また（たとえば他のＢＴＳへ）ページング区域の残り内の同じアクセス端末のためのフラッド(flood)ページを発信するための方法およびシステムを提供する。したがって、この発明の実施形態は、アクセス端末が同じページング区域内の異なる基地局にアイドルハンドオフを実施した場合に、配信されるべきデータがトラヒックチャネル上に発信され得ることを保証する。この発明の実施形態を使用すると、ＢＳＣは、データを配信することを再試行し得る前に、ラウンドトリップ時間（たとえば〜３００ｍｓ）を待つ必要がなく、潜時を著しく縮小し得る。追加の詳細と例は、この発明の実施形態をさらに例証する続くセクションで提供される。
【００３０】
図３を参照すると、たとえば、代表的なページング区域３００が示されている。多くのセル（たとえば３１０）と基地局（たとえば３２０〜３２６）とアクセス端末（たとえば３３０と３３２）は例証のためだけに提供され、この発明の実施形態はこの構成に限定されない。たとえば、基地局３２０を参照して、アクセス端末３３０と３３２が共に基地局３２０のサービスエリア内にあるとＲＡＮまたは他のシステムが（たとえば従来の通信に基づいて）決定するならば、それからアクセス端末３３０のためのＤＯＳメッセージとアクセス端末３３２のためのＤＯＳメッセージとが基地局３２０へ発信されるだろう
図に示されるように、アクセス端末３２０は基地局３２０によってまだサービスされるので、アクセス端末３２０のためのＤＯＳメッセージは成功するだろう。しかしながら、アクセス端末３３２は基地局３２２によってサービスされるセクターへ移動したので、アクセス端末３３２のためのＤＯＳメッセージはうまく受信されないだろう。従来方式とは対照的に、失敗に終わりタイムアウトを待つだけの代わりに、この発明の実施形態は、基地局３２１〜３２６から両方のアクセス端末３３０と３３２へページが発信されるようにする。したがって、アクセス端末３３２はページを受信するだろう、そのＤＯＳメッセージはしないだろうが、そして、続けてトラヒックチャネルを確立しデータを受信するだろう。
【００３１】
先の例から、当業者は、ＤＯＳメッセージをアクセス端末へ提供することが、システムにとって最小の遅延につながることを認めるであろう。しかしながら、他の基地局３２１〜３２６上のアクセス端末３３２のためのページを付加的に発信することは、失敗したＤＯＳメッセージによる著しい遅延不利益を防止する。さらに、基地局３２１〜３２６上のアクセス端末３３０のために複数のページが発信されたけれども、それらは、ＤＯＳメッセージに応じてアクセス端末３３０から応答が受信され得るので、システムローディングに著しく強い影響を与えず、また動作問題を提起しない。
【００３２】
先の説明から、この発明の実施形態は、ここに説明するアクション、機能、アルゴリズムおよび／またはプロセスを実施するための方法を含む得ることを当業者は認めるであろう。したがって、この発明の実施形態は、無線通信システムにおいて潜時を低減するための方法を含み得る。図４を参照すると、この方法は、アクセス端末、４１０、を包含すると推定されるページング区域の第一の部分内のアクセス端末へデータオーバーシグナリング（ＤＯＳ）メッセージを送信することと、ページング区域、４２０、の他の部分内のアクセス端末をページングすることとを有し得る。一般に、ページング区域は特定の地理的領域をおおうようにシステムオペレータ／エンジニアによって定められる。しかしながら、ここに使用されるように、用語ページング区域は、いかなる特定の地理的構成または隣接する一連のセルに限定されない。ページング区域は、システムオペレータによって指定されるあらゆる構成であり得る。さらに、ページング区域は、従来のページングに使用されたページング区域とは異なってもよい。たとえば、ページング区域は、一つ以上の従来のページング区域または従来のページング区域の一つ以上の部分（たとえばアクセス端末の最後の位置を中心とする地理的領域）を含み得る。さらに、用語「ページング区域の他の部分」は、ページング区域のすべての部分またはセクターがページを受信することを必要としない。
【００３３】
ページング区域の第一の部分（たとえばセクター）は、アクセス端末の最後の既知の位置によって（たとえばアクセス端末からの最後の通信に基づいて）決定され得る。あるいは、第一の部分を決定するための他の方法が使用され得る。ＤＯＳメッセージとページングは、アプリケーションサーバ（たとえば４０５）から発信されるメッセージに応じて生成され得る。アプリケーションサーバは、無線通信システムに操作可能に接続されたどのような装置であってもよい。一実施形態では、アプリケーションサーバはグループ通信サーバーであり得、発信メッセージはグループ呼出を確立するために使用され得る。アプリケーションサーバから発信されるメッセージは、アクセス端末のためのＤＯＳメッセージおよびページングの両方を発信するように無線通信システムに命令する情報を含み得る。たとえば、アプリケーションサーバから発信されるメッセージは、インターネットプロトコル（ＩＰ）共通フォーマットで発信され得、情報はタイプオブサービス（ＴＯＳ）フィールドに含まれ得る。
【００３４】
さらに、必要ならば、無線インフラストラクチャーが、アクセス端末へ発信されたＤＯＳメッセージおよびページの少なくとも一つに対する応答を受信し得る、４３０。当業者によって認められるように、応答は、ＤＯＳまたはページが受信されたかどうかに依存して変化してもよい。たとえば、ＤＯＳメッセージが受信されたならば、アクセス端末は、ＤＯＳメッセージ中に受信されたデータに作用し得る。しかしながら、ページだけが受信されたならば、アクセス端末は一般にページを受け取ったことを知らせる／トラヒックチャネルをセットアップしてデータを受信するだろう。また、必要ならば、無線インフラストラクチャーが、ＤＯＳメッセージおよびページングを発信する要求を生成したソース（たとえばアプリケーションサーバ）へ応答を発信し得る、４４０。アプリケーションサーバが応答を予期しているならば、４１５、過度の遅延を防止するためにタイムアウト機能、４２５、が確立され得る。割り当てられた時間内に応答が受信されないならば、プロセスは繰り返し得、ＤＯＳメッセージおよびページングリクエストが再発信され得る、４３５。あるいは、この技術分野で知られているような失敗通知および同様のものなど、他の処理が作動され得る。
【００３５】
上述した実施形態に対して多くのバリエーションを当業者は認めるであろう。たとえば、無線通信システム／無線インフラストラクチャーに操作可能に連結されたアプリケーションサーバまたは他の装置はメッセージを生成し無線通信システムへ発信し得、ここでメッセージは、データオーバーシグナリング（ＤＯＳ）メッセージ上にデータを発信し、またアクセス端末をページングする要求を有する、４０５。アクセス端末を包含すると推定されるページング区域の第一の部分内のアクセス端末へＤＯＳメッセージが送信され得る、４１０。付加的に、ＤＯＳフラッドオプション（４１２と４１４）の作動の直後に、ページング区域の他の部分へＤＯＳメッセージが送信され得る。フラッディングオプションがページング区域４１６全体をあふれさせないならば、ＤＯＳメッセージを受信していないページング区域の部分内にアクセス端末がページングされ得る、４２０。たとえば、システムオペレータは、フラッディングオプションを、アクセス端末があった最後の既知のセクターのまわりの地理的領域に限定してもよく、それから、フラッディングオプションによってカバーされていないセクターのためにページングが使用され得る。しかしながら、ＤＯＳフラッドオプションがページング区域全体に対してであるならば、４１６、それから、ＤＯＳがすべての部分にあふれ、４１８、ページングは必要とされない。
【００３６】
この発明の実施形態はここに説明されたシーケンスに限定されないことを当業者は認めるであろう。たとえば、システムオペレータは、第一の部分として最後の既知のセクターとこのセクターのまわりの地理的領域であると第一の部分を定め、ブロック４１０と４２０だけを使用し得、またフラッドオプションは、ページング区域の第一の部分を定める調節と見なされ得る。
【００３７】
さらに、当業者によって認められるように、ＤＯＳを受信するページング区域の部分とページを受信する部分とを定めるために多くのオプションが使用されてもよい。基本構成では、フラッドオプションが作動されるとき、ページング区域のすべての部分がＤＯＳメッセージを送信し得る。しかしながら、このオプションは、一日の指定時間、無線システムのローディング、ページング区域および同様のものなどのフラッド基準決定（たとえば４１４）に基づき得る。たとえば、フラッドオプションは、システムローディングが一般的に低い田舎のページング区域に使用されてもよい。同様に、フラッドオプションは、システムローディングまたはシステムローディングが低いと予想される一日の指定時間（たとえば午前１２時〜午前６時）に基づいて使用され得る。したがって、フラッドオプションを備えたシステムにおいても、フラッドオプションは使用されなくてもよい。さらに、ページング区域のすべての部分よりも少なくＤＯＳメッセージが発信され得る。したがって、ＤＯＳメッセージを受信していないページング区域の部分は、アクセス端末へ向けられたページングを受信し得る。
【００３８】
図５を参照すると、この発明の実施形態にしたがってシステムブロック図が示される。たとえば、この発明の実施形態は、無線通信システムを経由する配信のためのメッセージを生成するように構成された論理と、メッセージを無線通信システムへ発信するように構成された論理とを有し得、メッセージは、データオーバーシグナリング（ＤＯＳ）メッセージおよびページをアクセス端末へ発信する要求を有する。たとえば、アプリケーションサーバ５１０はすべての論理素子を有し得、あるいは、論理素子は、無線インフラストラクチャーに操作可能に連結された一つ以上のサーバー内にあり得る。
【００３９】
付加的に、装置は、アクセス端末を包含すると推定されるページング区域の第一の部分内のアクセス端末へＤＯＳメッセージを送信するように構成された論理と、ＤＯＳメッセージを受信していないページング区域の部分内のアクセス端末をページングするように構成された論理とを有し得る。もう一度、論理は、ＢＳＣ５３０およびＢＴＳ（たとえば３２０〜３２２）などの無線インフラストラクチャーの一つ以上の素子で実現され得る。同様に、パケットデータサービングノード（ＰＤＳＮ）５２０は、ＢＳＣ５３０と共働して、アプリケーションサーバ５１０からメッセージを受信し、メッセージ中のタイプオブサービスフィールドを復号し、適当な方向をＢＳＣ５３０へ転送するように機能し得る。
【００４０】
、無線インフラストラクチャーの多くの要素は共働的に働いてアクセス端末間のサービスを提供することを当業者は一般に認めるであろう。さらに、さまざまな要素のおのおのの機能性は、総合的機能性を変更することなく、無線システムに操作可能に接続された他の要素に移設され得るであろう。たとえば、ＤＯＳフラッドオプションの作動の直後に、ページング区域の他の部分へＤＯＳメッセージを送信するように構成された論理は、ＢＳＣ５３０を有し得、送信機能に関してはＢＴＳ（たとえば３２０〜３２２）および無線インフラストラクチャーに操作可能に連結された関数と他の要素（たとえばリモートサーバー／プロセッサー）はフラッドオプションの作動の決定に使用され得る。したがって、この発明は例証の構成に限定されない。さらに、この発明の実施形態の機能を包含し得るシステム要素の議論は、単に例証的な目的のためであり、この発明の実施形態を限定するように解釈されるべきでない。
【００４１】
先に論じられたように、この発明の実施形態は、すべてのアプリケーションに役立ち得るが、遅延敏感(delay sensitive)アプリケーションに特に重要であるシステム潜時を改善し得る。グループ通信システムは、ここに開示されるこの発明の実施形態によって提示された低減接続時間の利点をとり得る遅延敏感システムの一例である。グループ通信システムはまた、プッシュ・トゥ・トーク（ＰＴＴ）システム、ネット放送サービス（ＮＢＳ）、ディスパッチシステムまたは単ポイント・トゥ・多ポイント通信システムとして知られ得る。一般に、アクセス端末ユーザーのグループは、各グループメンバーに割り当てられたアクセス端末を使用して互いに通信し得る。用語「グループメンバー」は、互いに通信することを認められたアクセス端末ユーザーのグループを表示する。グループ通信システム／ＰＴＴシステムは幾人かのメンバー間のものと考えられ得るが、システムはこの形態に限定されるものではなく、一対一ごとの各個装置間の通信に適用し得る。
【００４２】
グループは、既存のインフラストラクチャーへの本質的な変更を必要とすることなく、既存の通信システム上で作動し得る。したがって、コントローラとユーザーは、符号分割多元接続（ＣＤＭＡ）システム、時分割多元接続（ＴＤＭＡ）システム、移動体通信用広域システム(Global System for Mobile Communications)（ＧＳＭ）システム、衛星通信方式、陸線および無線システムの組み合わせおよび同様のものなどのインターネットプロトコル（ＩＰ）を使用してパケット情報を送受信可能なあらゆるシステムで作動し得る。
【００４３】
グループメンバーは、ＡＴ１０２、１０８および１１２などの割り当てアクセス端末（ＡＴ）を使用して互いに通信し得る。ＡＴは、地上無線電話、プッシュ・トゥ・トーク能力を有するワイヤ線電話、プッシュ・トゥ・トーク機能性を備えた衛星電話、無線ビデオカメラ、スチルカメラ、音楽レコーダーまたはプレーヤーなどのオーディオ装置、ラップトップまたはデスクトップコンピュータ、ページング装置またはそれらのいかなる組み合わせなどのワイヤ線または無線装置であり得る。さらに、各ＡＴは、安全モードまたは不安全（明瞭）モードのいずれかで情報を発信し受信することが可能であり得る。アクセス端末（ＡＴ）への言及は例証または列挙された例に限定されることを意図するものではなく、インターネットプロトコル（ＩＰ）にしたがってパケット情報を送受信する能力を有する他の装置を包含し得ると理解されるべきである。
【００４４】
グループメンバーがグループの他のメンバーへ情報を送信することを望むとき、メンバーは、ＡＴのプッシュ・トゥ・トークボタンまたはキーを押すことによって伝送特権を要求し得、分散ネットワーク上への伝送用にフォーマットされたリクエストを生成する。たとえば、リクエストは、ＡＴ１０２を使用して、一つ以上のＭＰＴ（または基地局）１２４にオーバーザエア(over the air)で送信され得る。データパケットを処理するためのＭＰＣ／ＭＳＣ１２２は、周知の相互作業機能（ＩＷＦ）、パケットデータサービングノード（ＰＤＳＮ）またはパケット制御機能（ＰＣＦ）を含み得、ＭＰＴ／ＢＳ１２４と分散ネットワークとの間に存在し得る。しかしながら、そのリクエストはまた、公衆交換電話ネットワーク（ＰＳＴＮ）を介してキャリアネットワーク１２６に送信され得る。キャリアネットワーク１２６はリクエストを受信し、それをアクセス端末への配信のためのＲＡＮに提供し得る。
【００４５】
図６を参照すると、一つ以上のグループ通信サーバー６３２は、分散ネットワークへのその接続を介してグループ通信システムのトラヒックを監視し得る。グループ通信サーバー６３２はさまざまな有線および無線インターフェースを介して分散ネットワークに接続され得るので、グループ参加者への地理的近接は必要でない。一般に、グループ通信サーバー６３２は、ＰＴＴシステムにおけるグループメンバー（ＡＴ６７０，６７２，６７４，６７６）の無線装置間の通信を制御する。例証の無線ネットワークは単に代表的であり、それによって遠隔モジュールが相互間で、および／または、無線ネットワークキャリアおよび／またはサーバーを限定なく含む無線ネットワークの要素間で、オーバー・ザ・エア(over-the-air)で通信することを可能にするあらゆるシステムを含み得る。一連のグループ通信サーバー６３２はグループ通信サーバーＬＡＮ６５０に接続され得る。
【００４６】
グループ通信サーバー６３２は、キャリアネットワーク６２６上に駐在してここに示される、ＰＳＤＮ６５２などの無線サービスプロバイダのパケットデータサービスノード（ＰＤＳＮ）に接続され得る。各ＰＳＤＮ６５２は、パケット制御機能（ＰＣＦ）６６２を介して基地局６６０の基地局コントローラ（ＢＳＣ）６６４と接続し得る。ＰＣＦ６６２は基地局６６０に配置され得る。キャリアネットワーク６２６は、ＭＳＣ６５８に発信されるメッセージ（一般にの形をとっているデータパケット）を制御し得る。ＭＳＣ６５８は、一つ以上の基地局６６０に接続され得る。キャリアネットワークと同様の手法で、ＭＳＣ６５８は、データ転送のためのネットワークおよび／またはインターネットと音声情報のためのＰＳＴＮとの両方によって基地局トランシーバ（ＢＴＳ）６６６に一般に接続される。この技術分野に周知のように、ＢＴＳ６６６は、携帯電話６７０，６７２，６７４，６７６などの無線ＡＴ間でメッセージを無線で最後に放送し受信する。したがって、グループ通信システムの詳細はさらに論じない。
【００４７】
この発明の少なくとも一つの実施形態では、グループ通信サーバーは、無線通信システムを経由する配信のためのメッセージを生成するように構成された論理と、メッセージを無線通信システムへ発信するように構成された論理とを有し得、メッセージは、データオーバーシグナリング（ＤＯＳ）メッセージおよびページをアクセス端末へ発信する要求を有する。発信メッセージは、グループ呼出を確立するために使用され得る。メッセージは、インターネットプロトコル（ＩＰ）共通フォーマットで発信され得る。ＤＯＳメッセージおよびページの両方をターゲットアクセス端末発信することを無線システムに命じる情報はタイプオブサービス（ＴＯＳ）フィールドに含まれ得る。先の説明で論じられたようにメッセージは無線システムに受信され処理され得る。したがって、ＤＯＳメッセージがターゲットアクセス端末によって受信されるならば、ＰＴＴ呼出がページングだけを経由するよりも急速に確立され得る。しかしながら、ＤＯＳメッセージがターゲットアクセス端末によって受信されないならば、アクセス端末に向けられたページは、タイムアウトするためにアプリケーション層を待つ追加遅延を防止するだろう。
【００４８】
当業者は、情報および信号は、さまざまな異なるテクノロジーおよび技術のいずれかを使用して表わされ得ることを認めるであろう。たとえば、上記説明の全体にわたって参照され得るデータ、命令、コマンド、情報、信号、ビット、記号およびチップは、電圧、電流、電磁波、磁場または粉、光学場または粒子、またはそれらのあらゆる組み合わせによって表わされ得る。
【００４９】
さらに、ここに開示された実施形態に関して説明されたさまざまな例証的な論理ブロック、モジュール、回路およびアルゴリズムステップは、電子ハードウェア、コンピューターソフトウェアまたは両者の組み合わせとして実現され得ることを当業者は認めるであろう。ハードウェアとソフトウェアのこの互換性を明白に示すために、さまざまな例証的なコンポーネント、ブロック、モジュール、回路およびステップは、それらの機能性の見地からほぼ上述された。そのような機能性がハードウェアまたはソフトウェアとして実現されるかどうかは、システム全体に課せられた特定アプリケーションおよび設計制約に依存する。熟練した職人は、説明された機能性を各特定アプリケーションに対してさまざまな方法で実現し得るが、そのような実現決定は本発明の要旨からの逸脱をもたらすものと解釈されるべきでない。
【００５０】
ここに開示された実施形態に関して説明されたさまざまな例証的な論理ブロック、モジュールおよび回路は、ここに説明された機能を実現するように設計された汎用プロセッサー、ディジタルシグナルプロセッサー（ＤＳＰ）、特定用途向け集積回路（ＡＳＩＣ）、フィールドプログラマブルゲートアレー（ＦＰＧＡ）または他のプログラマブル論理装置、ディスクリートゲートまたはトランジスター論理、ディスクリートハードウェアコンポーネント、またはそれらのあらゆる組み合わせで実現または実施され得る。汎用プロセッサーはマイクロプロセッサーであってもよいが、代替案では、プロセッサーは、あらゆる従来のプロセッサー、コントローラ、マイクロコントローラまたは状態機械であってもよい。プロセッサーはまた、コンピューティング装置、たとえばＤＳＰとマイクロプロセッサーとの組み合わせ、複数のマイクロプロセッサー、ＤＳＰコアと連携した一つ以上のマイクロプロセッサー、または他のそのようなあらゆる構成の組み合わせとして実現され得る。
【００５１】
ここに開示された実施形態に関して説明された方法、シーケンスおよび／またはアルゴリズムは、ハードウェアで、プロセッサーによって実行されるソフトウェアモジュールで、またはそれら二つの組み合わせで直接的に具体化され得る。ソフトウェアモジュールは、ＲＡＭメモリ、フラッシュメモリー（登録商標）、ＲＯＭメモリ、ＥＰＲＯＭメモリ、ＥＥＰＲＯＭメモリ、レジスター、ハードディスク、リムーバブルディスク、ＣＤ−ＲＯＭまたはこの技術分野で既知のあらゆる他の形式の記憶媒体内に存在し得る。代表的な記憶媒体は、プロセッサーが記憶媒体から情報を読み出し得、かつそれに情報を書き込み得るプロセッサーに連結される。代替案では、記憶媒体はプロセッサーに一体化されてもよい。プロセッサーと記憶媒体はＡＳＩＣ内に存在してもよい。ＡＳＩＣは単一のコンポーネント内に存在してもよい。代替案では、プロセッサーと記憶媒体は個別部品として存在してもよい。
【００５２】
したがって、この発明の実施形態は、ここに開示された方法、アルゴリズム、ステップおよび／または機能にしたがって無線通信システムにおいて潜時を低減するための方法を具体化するコンピュータ読取可能媒体を有し得る。たとえば、この発明の実施形態は、無線通信システムにおいて潜時を低減するためのコンピュータープログラムが格納されたコンピュータ読取可能媒体を有し得る。実行されたときに、アクセス端末を包含すると推定されるページング区域の第一の部分内のアクセス端末へデータオーバーシグナリング（ＤＯＳ）メッセージを送信することと、ページング区域の他の部分内のアクセス端末をページングすることとのプロセスをコンピューティング装置に実施させる命令を備えているコンピュータープログラム。
【００５３】
先の開示はこの発明の例証的な実施形態を示しているが、添付の特許請求の範囲によって定められるような発明の要旨から逸脱しない範囲においてさまざまな変更および修正がなされ得るであろうことは注目されるべきである。ここに説明されたこの発明の実施形態にしたがって請求する方法の機能、ステップおよび／またはアクションは、いかなる特定の順番で実施される必要はない。さらに、この発明の要素は単数で説明されているかもしれないが、単数への限定が明示的に述べられない限り、複数が考えられる。
【図１】
2010514270.tif 000003
【図２】
2010514270.tif 000004
【図３】
2010514270.tif 000005
【図４】
2010514270.tif 000006
【図５】
2010514270.tif 000007
【図６】
2010514270.tif 000008
【国際調査報告】
2010514270.tif 000009
2010514270.tif 000010